(57)【要約】【課題】鎖錠された引き戸を保守作業時等に容易に手動戸開することができるエレベーター乗場戸の手動解錠装置を得る。【解決手段】鎖錠された引き戸６を手動戸開するときに、三方枠４と全閉した引き戸６の隙間に手動解錠梃棒２５を挿入し、長手中間を掛合子２４に掛合すると共に一端部を解錠機構１６の回動腕１９に掛合する。次いで、手動解錠梃棒２５の他端側を掛合子２４を支点として回動変位すると回動腕１９が付勢体２１の付勢力に抗して回動変位し、回動腕１９の回動変位が伝動体２２を介して鉤片１１に伝達されて、鉤片１１が解錠姿勢に配置されて引き戸６が解錠する。これにより、鎖錠された引き戸６を容易に解錠でき、また簡易に引き戸６を手動戸開できる。したがって、保守作業を省力化でき保守作業能率を向上する。【選択図】　　　　図１
2004075313.tif 000002
【特許請求の範囲】
【請求項１】
乗場出入口を開閉する引き戸に設けられて上記引き戸の全閉時に上記出入口縁部の固定部に掛合した鎖錠姿勢に配置され、この鎖錠姿勢から回動変位して解錠姿勢に変位する鉤片と、長手中間が上記引き戸に枢着された回動腕、この回動腕を一方向に付勢する付勢体、上記引き戸に設けられて上記付勢体による上記回動腕の回動変位を所定位置で阻止する阻止部及び一端が上記鉤片に他端は上記回動腕に連結されて上記回動腕の回動変位を上記鉤片に伝動する伝動体からなる解錠機構と、要時に人為操作によって長手中間が上記引き戸に設けられた掛合子に係合され、一端側が上記回動腕の端部に掛合されて他端側が上記掛合子を支点として回動変位されることによって、上記回動腕を上記付勢方向とは逆方向に回動して上記伝動体を介して上記鉤片を解錠姿勢に変位する手動解錠梃棒とを備えたエレベーター乗場戸の手動解錠装置。
【請求項２】
掛合子を、板材が屈折されて水平投影面においてＬ字状をなし基部が引き戸に締結され上記引き戸の全閉時において、出入口の縁部を構成した三方枠と上記引き戸との重合部に配置されて上方に突出した突部が他部に形成されたものとしたことを特徴とする請求項１記載のエレベーター乗場戸の手動解錠装置。
【請求項３】
掛合子を、引き戸の全閉時において出入口の縁部を構成した三方枠と対向した上記引き戸の重合部に配置されて、上記引き戸の水平投影面における隅部が切欠されてなる凹所によって形成されたものとしたことを特徴とする請求項１記載のエレベーター乗場戸の手動解錠装置。
【発明の詳細な説明】
【０００１】
【発明の属する技術分野】
この発明は、保守作業時等において乗場出入口を人為操作によって戸開するエレベーター乗場戸の手動解錠装置に関する。
【０００２】
【従来の技術】
図７〜図１０は、従来のエレベーター乗場戸の手動解錠装置を示す図で、図７はエレベーター乗場の正面図、図８は図７の背面図、図９は図８のＡ−Ａ線断面拡大図、図１０は図９の正面図である。図において、１はエレベーターの昇降路、２は昇降路１に設けられた乗場、３は乗場２の出入口、４は出入口３の三方の縁部を形成する三方枠、５は乗場２の床に設けられた敷居で、出入口３の下縁部を形成する。
【０００３】
６は中心両開き形式の引き戸で、上端に吊り手７、下端に敷居５の溝に案内される戸の脚８が設けられて出入口３を開閉する。９は出入口３の上縁部に設けられて昇降路１内側に配置されたハンガーケースで、吊り手７のローラーを案内するレール１０が設けられている。
【０００４】
１１は鉤片で、長手の一端が吊り手７に枢着され他端には鉤部１２が設けられて図８において反時計回り方向へ付勢され、引き戸６が全閉したときに鉤部１２がハンガーケース９、すなわち出入口３縁部に設けられたラッチからなる固定部１３に掛合して鎖錠姿勢に配置される。１４は鉤片１１の枢着端側から上方に形成された突出部に枢着されたローラ、１５は鉤片１１の枢着端側から反鉤部１２方向に突設された連結腕である。
【０００５】
１６は引き戸６に設けられた解錠機構で、引き戸６に装着されたブラケット１７、長手中間がブラケット１７に枢着されて一端部が引き戸６の戸袋側の縁部から突出して配置されてその突出部に掛合部１８が形成された回動腕１９、ブラケット１７に設けられて回動腕１９の他端部に対向して配置された阻止部２０が設けられている。
【０００６】
また、解錠機構１６には回動腕１９の枢着軸に嵌合されて一端が回動腕の反掛合部１８側の下端に係合され他端はブラケット１７における阻止部２０側に係合されて回動腕１９を図１０において時計方向に付勢するつる巻きねじりばねからなる付勢体２１、ワイヤからなり一端が鉤片１１の連結腕１５の突出端に他端は回動腕１９の阻止部２０側の端部に連結されて回動腕１９の回動変位を鉤片１１に伝動する伝動体２２が設けられる。
【０００７】
２３は手動解錠鍵棒で、作業員によって要時に一端側が回動腕１９の掛合部１８下側に掛合されて他端側を作業員が把持して持ち上げる。これによって、回動腕１９が付勢体２１の付勢力に抗して図１０において反時計方向に回動変位し、この回動変位が伝動体２２を介して鉤片１１に伝達されて、鉤片１１が図８において時計方向に回動変位する。これにより、鉤部１２と固定部１３の掛合が解除された解錠姿勢に配置される。
【０００８】
従来のエレベーター乗場戸の手動解錠装置は上記のように構成され、引き戸６の全閉時に鉤片１１の鉤部１２が出入口３縁部の固定部１３に掛合して鎖錠姿勢に配置される。これにより、引き戸６が鎖錠され、この状態で解錠機構１６の回動腕１９が付勢体２１により図１０において時計方向に付勢される。そして、回動腕１９の反係合部１８側の端部がブラケット１７の阻止部２０に当たって、時計方向の回動が所定位置で阻止される。
【０００９】
また、鉤片１１の連結腕１５の突出端と回動腕１９の阻止部２０側の端部が伝動体２２によって連結されて回動腕１９が図１０に実線で示すように配置される。そして、図示が省略してあるがエレベーターのかごが乗場２に到着すると、かごに設けられたドアー開閉装置の係合板が、戸開動作の初期において鉤片１１のローラ１４を戸袋方向へ押圧する。
【００１０】
これによって、鉤片１１が図８において時計方向に回動して解錠姿勢となり鉤部１２と固定部１３の掛合が解除され、次いで引き戸６が戸袋方向へ駆動されて戸開する。また、戸閉時はかごのドアー開閉装置が戸閉動作し、引き戸６が戸当たり方向へ駆動される。これにより、引き戸６の全閉直前位置において鉤片１１の鉤部１２が付勢力に抗して固定部１３に乗り上げ、その後に鉤部１２が下降動作して固定部１３に掛合する。この状態で鉤片１１が鎖錠姿勢となり引き戸６が鎖錠される。
【００１１】
また、エレベーターの保守作業時等において引き戸６が鎖錠されて閉鎖された出入口３が作業員の人為操作によって手動戸開されるが、このときに次に述べる作業が行われる。すなわち、三方枠４と全閉した引き戸６の隙間に手動解錠鍵棒２３が挿入されて、手動解錠鍵棒２３の先端部が図１０に破線で示すように回動腕１９の掛合部１８下側に掛合される。
【００１２】
次いで、作業員が手動解錠鍵棒２３を把持して持ち上げると回動腕１９が付勢体２１の付勢力に抗して図１０において反時計方向に回動変位して、図１０に鎖線で示す状態となる。これによって、回動腕１９の回動変位が伝動体２２を介して鉤片１１に伝達されて、鉤片１１が図８において時計方向に回動変位する。そして、鉤部１２と固定部１３の掛合が解除された解錠姿勢に配置されて引き戸６が解錠され、作業員によって引き戸６が手動戸開されて所要の保守作業が行われる。
【００１３】
【発明が解決しようとする課題】
上記のような従来のエレベーター乗場戸の手動解錠装置では、保守作業時等において鎖錠された引き戸６を手動戸開する場合に、鉤片１１の鎖錠姿勢における付勢及び回動腕１９の付勢体２１による付勢力に抗して、手動解錠鍵棒２３を持ち上げる。これによって鉤片１１を解錠姿勢とし、この姿勢のまま引き戸６を戸袋方向へ移動して引き戸６が手動戸開される。
【００１４】
しかし、鉤片１１の付勢及び回動腕１９の付勢力に抗して手動解錠鍵棒２３を上方へ持ち上げる作業は容易でなく、さらに手動解錠鍵棒２３を持ち上げた状態で引き戸６を手動戸開する必要がある。このため、エレベーターの保守作業に多大な労力を要し保守作業能率が低下するという問題点があった。
【００１５】
この発明は、かかる問題点を解消するためになされたものであり、鎖錠された引き戸を保守作業時等に容易に手動戸開することができるエレベーター乗場戸の手動解錠装置を得ることを目的とする。
【００１６】
【課題を解決するための手段】
この発明に係るエレベーター乗場戸の手動解錠装置においては、乗場出入口を開閉する引き戸に設けられて引き戸の全閉時に出入口縁部の固定部に掛合した鎖錠姿勢に配置され、この鎖錠姿勢から回動変位して解錠姿勢に変位する鉤片と、長手中間が引き戸に枢着された回動腕、この回動腕を一方向に付勢する付勢体、引き戸に設けられて付勢体による回動腕の回動変位を所定位置で阻止する阻止部及び一端が鉤片に他端は回動腕に連結されて回動腕の回動変位を鉤片に伝動する伝動体からなる解錠機構と、要時に人為操作によって長手中間が引き戸に設けられた掛合子に係合され、一端側が回動腕の端部に掛合されて他端側が掛合子を支点として回動変位されることによって、回動腕を付勢方向とは逆方向に回動して伝動体を介して鉤片を解錠姿勢に変位する手動解錠梃棒とが設けられる。
【００１７】
また、この発明に係るエレベーター乗場戸の手動解錠装置においては、板材が屈折されて水平投影面においてＬ字状をなし基部が引き戸に締結され、引き戸の全閉時において出入口の縁部を構成した三方枠と引き戸との重合部に配置されて上方に突出した突部が他部に形成された掛合子が設けられる。
【００１８】
また、この発明に係るエレベーター乗場戸の手動解錠装置においては、引き戸の全閉時において出入口の縁部を構成した三方枠と対向した引き戸の重合部に配置されて、引き戸の水平投影面における隅部が切欠されてなる凹所によって形成された掛合子が設けられる。
【００１９】
【発明の実施の形態】
実施の形態１．
図１及び図２は、この発明の実施の形態の一例を示す図で、図１は前述の図９相当図、図２は図１の正面図である。なお、図１及び図２の他は前述の図７〜図１０と同様にエレベーター乗場戸の手動解錠装置が構成されている。図において、３は乗場２の出入口、４は出入口３の三方の縁部を形成する三方枠である。
【００２０】
６は中心両開き形式の引き戸、１６は引き戸６に設けられた解錠機構で、引き戸６に装着されたブラケット１７、長手中間がブラケット１７に枢着されて一端部が引き戸６の戸袋側の縁部から突出して配置されて掛合部１８が形成された回動腕１９、ブラケット１７における回動腕１９の他端部に対向して形成された阻止部２０が設けられる。
【００２１】
また、解錠機構１６には回動腕１９の枢着軸に嵌合されて一端が回動腕の反掛合部１８側の下端に係合され他端はブラケット１７における阻止部２０側に係合されて回動腕１９を図２において時計方向に付勢するつる巻きねじりばねからなる付勢体２１、ワイヤからなり一端が鉤片１１の連結腕１５の突出端に他端は回動腕１９の阻止部２０側の端部に連結されて回動腕１９の回動変位を鉤片１１に伝動する伝動体２２が設けられる。
【００２２】
２４は掛合子で、引き戸６に設けられて引き戸６の全閉時における三方枠４との重合部に配置されたピンによって構成されている。２５は手動解錠梃棒で、作業員によって要時に長手中間が掛合子２４に係合され、一端側が回動腕１９の掛合部１８下側に掛合される。そして、他端側が掛合子２４を支点として下方へ回動変位されることによって、回動腕１９を付勢体２１による付勢方向とは逆方向に回動する。
【００２３】
これによって、回動腕１９が付勢体２１の付勢力に抗して図２において反時計方向に回動変位し、この回動変位が伝動体２２を介して鉤片１１に伝達されて、鉤片１１が前述の図８において時計方向に回動変位する。そして、鉤部１２と固定部１３の掛合が解除された解錠姿勢に配置される。
【００２４】
上記のように構成されたエレベーター乗場戸の手動解錠装置において、引き戸６の全閉時に鉤片１１の鉤部１２が出入口３縁部の固定部１３に掛合して鎖錠姿勢に配置される。これにより引き戸６が鎖錠され、この状態で解錠機構１６の回動腕１９が付勢体２１により図２において時計方向に付勢される。そして、回動腕１９の反係合部１８側の端部がブラケット１７の阻止部２０に当たって、時計方向の回動が所定位置で阻止される。
【００２５】
また、鉤片１１の連結腕１５の突出端と回動腕１９の阻止部２０側の端部が伝動体２２によって連結されて図２に実線で示すように配置される。そして、図示が省略してあるがエレベーターのかごが乗場２に到着すると、かごに設けられたドアー開閉装置の係合板が、戸開動作の初期において前述の図８に示す鉤片１１のローラ１４を戸袋方向へ押圧する。
【００２６】
これによって、鉤片１１が前述の図８において時計方向に回動して解錠姿勢となり鉤部１２と固定部１３の掛合が解除され、次いで引き戸６が戸袋方向へ駆動されて戸開する。また、戸閉時はかごのドアー開閉装置が戸閉動作し、引き戸６が戸当たり方向へ駆動される。これにより、引き戸６の全閉直前位置において鉤片１１の鉤部１２が付勢力に抗して固定部１３に乗り上げ、その後に鉤部１２が下降動作して固定部１３に掛合する。この状態で鉤片１１が鎖錠姿勢となり引き戸６が鎖錠される。
【００２７】
また、エレベーターの保守作業、故障停止の救出作業時等において引き戸６が鎖錠されて閉鎖された出入口３が、作業員の人為操作によって手動戸開されるが、このときに次に述べる作業が行われる。すなわち、三方枠４と全閉した引き戸６の隙間に手動解錠梃棒２５が挿入され、長手中間が掛合子２４に掛合されると共に手動解錠梃棒２５の一端側の先端部が図２に破線で示すように回動腕１９の掛合部１８下側に掛合される。
【００２８】
次いで、作業員が手動解錠梃棒２５の他端側を把持し、掛合子２４を支点として下方へ回動変位すると回動腕１９が付勢体２１の付勢力に抗して図２において反時計方向に回動変位し、図２に鎖線で示す状態となる。これによって、回動腕１９の回動変位が伝動体２２を介して前述の図８の鉤片１１に伝達されて、鉤片１１が前述の図８において時計方向に回動変位する。そして、鉤部１２と固定部１３の掛合が解除された解錠姿勢に配置されて引き戸６が解錠され、作業員によって引き戸６が手動戸開されて所要の保守作業等が行われる。
【００２９】
そして、図１及び図２に示す構成において、保守作業時等において鎖錠された引き戸６を手動戸開する場合に、手動解錠梃棒２５の他端側を回動させることにより手動解錠梃棒２５の一端側、すなわち掛合部１８側において、手動解錠梃棒２５の他端側の変位が縮小されて回動腕１９の掛合部１８に伝達される。このため、少ない回動力によって鉤片１１の鎖錠姿勢における付勢及び回動腕１９の付勢体２１による付勢力に抗して、鉤片１１を解錠姿勢に容易に変位させることができる。
【００３０】
そして、この姿勢のまま引き戸６を戸袋方向へ手動によって移動して戸開される。したがって、鎖錠された引き戸６を容易に解錠することができ、また簡易な操作によって引き戸６を手動戸開することができる。このため、少ない労力によってエレベーターの保守作業を行うことができ保守作業能率を向上することができる。
【００３１】
実施の形態２．
図３及び図４は、この発明の他の実施の形態の一例を示す図で、図３は前述の図９相当図、図４は図３の正面図である。なお、図３及び図４の他は前述の図７〜図１０と同様にエレベーター乗場戸の手動解錠装置が構成されている。図において、図１及び図２、図７〜図１０と同符号は相当部分を示す。
【００３２】
２６は掛合子で、板材が屈折されて水平投影面においてＬ字状をなし、基部が引き戸６に装着されたブラケット１７の締結具２７によって引き戸６に共締めされ、他部に引き戸６の全閉時における三方枠４との重合部に配置されて上方に突出した突部２８が形成されている。
【００３３】
上記のように構成されたエレベーター乗場戸の手動解錠装置においても、エレベーターの保守作業時等に三方枠４と全閉した引き戸６の隙間に手動解錠梃棒２５が挿入されて、長手中間が掛合子２６の突部２８に掛合されると共に手動解錠梃棒２５の一端側の先端部が図４に破線で示すように回動腕１９の掛合部１８下側に掛合される。
【００３４】
そして、前述の図１及び図２の実施の形態と同様に手動解錠梃棒２５の他端側を下方へ回動させることによって、容易に鉤片１１を解錠姿勢に変位させることができる。したがって、詳細な説明を省略するが図３及び図４の実施の形態においても図１及び図２の実施の形態と同様な作用が得られる。
【００３５】
実施の形態３．
図５及び図６も、この発明の他の実施の形態の一例を示す図で、図５は前述の図９相当図、図６は図５の正面図である。なお、図５及び図６の他は前述の図７〜図１０と同様にエレベーター乗場戸の手動解錠装置が構成されている。図において、図１及び図２、図７〜図９と同符号は相当部分を示し、２９は掛合子で、引き戸６の全閉時において出入口３の縁部を構成した三方枠４と対向した引き戸６の重合部に配置されて、引き戸６の水平投影面における隅部が切欠されてなる凹所によって形成されている。
【００３６】
上記のように構成されたエレベーター乗場戸の手動解錠装置においても、エレベーターの保守作業時等に三方枠４と全閉した引き戸６の隙間に手動解錠梃棒２５が挿入されて、先端部が図６に破線で示すように回動腕１９の掛合部１８下側に掛合される。
【００３７】
この状態で、手動解錠梃棒２５を上方へ持ち上げて回動腕１９を回動して、手動解錠梃棒２５を図６に鎖線で示すように掛合子２９に嵌合する。これによって、解錠機構１６の回動腕１９を図６における上昇位置に容易に保持することができる。そして、鉤片１１を解錠姿勢に変位させた状態で引き戸６を手動戸開することができる。
【００３８】
したがって、詳細な説明を省略するが図５及び図６の実施の形態においても図１及び図２の実施の形態に準じた作用が得られる。
また、図５及び図６の実施の形態において掛合子２９が引き戸６に設けられた凹所によって形成されるので、三方枠４と全閉した引き戸６の隙間が十分確保され、手動解錠梃棒２５の挿入が容易にでき鉤片１１の解錠操作の能率を向上することができる。
【００３９】
【発明の効果】
この発明は以上説明したように、乗場出入口を開閉する引き戸に設けられて引き戸の全閉時に出入口縁部の固定部に掛合した鎖錠姿勢に配置され、この鎖錠姿勢から回動変位して解錠姿勢に変位する鉤片と、長手中間が引き戸に枢着された回動腕、この回動腕を一方向に付勢する付勢体、引き戸に設けられて付勢体による回動腕の回動変位を所定位置で阻止する阻止部及び一端が鉤片に他端は回動腕に連結されて回動腕の回動変位を鉤片に伝動する伝動体からなる解錠機構と、要時に人為操作によって長手中間が引き戸に設けられた掛合子に係合され、一端側が回動腕の端部に掛合されて他端側が掛合子を支点として回動変位されることによって、回動腕を付勢方向とは逆方向に回動して伝動体を介して鉤片を解錠姿勢に変位する手動解錠梃棒とを設けたものである。
【００４０】
これによって、エレベーターの保守作業、故障停止の救出作業時等において鎖錠された引き戸を作業員が人為操作によって手動戸開するときに、三方枠と全閉した引き戸の隙間に手動解錠梃棒が挿入されて、長手中間が掛合子に掛合されると共に手動解錠梃棒の一端側の先端部が解錠機構の回動腕に掛合される。次いで、作業員が手動解錠梃棒の他端側を掛合子を支点として回動変位すると回動腕が付勢体の付勢力に抗して回動変位し、回動腕の回動変位が伝動体を介して鉤片に伝達されて、鉤片が解錠姿勢に配置されて引き戸が解錠される。これにより、鎖錠された引き戸を容易に解錠することができ、また簡易な操作によって引き戸を手動戸開することができる。したがって、少ない労力によってエレベーターの保守作業等を行うことができ保守作業等の能率を向上する効果がある。
【００４１】
また、この発明は以上説明したように、板材が屈折されて水平投影面においてＬ字状をなし基部が引き戸に締結され、引き戸の全閉時において出入口の縁部を構成した三方枠と引き戸との重合部に配置されて、上方に突出した突部が他部に形成された掛合子を設けたものである。
【００４２】
これによって、エレベーターの保守作業時等に鎖錠された引き戸を作業員が人為操作によって手動戸開するときに、三方枠と全閉した引き戸の隙間に手動解錠梃棒が挿入されて、長手中間が掛合子の突部に掛合されると共に手動解錠梃棒の一端側の先端部が解錠機構の回動腕に掛合される。次いで、作業員が手動解錠梃棒の他端側を掛合子を支点として回動変位すると回動腕が付勢体の付勢力に抗して回動変位し、回動腕の回動変位が伝動体を介して鉤片に伝達されて、鉤片が解錠姿勢に配置されて引き戸が解錠される。これにより、鎖錠された引き戸を容易に解錠することができ、また簡易な操作によって引き戸を手動戸開することができる。したがって、少ない労力によってエレベーターの保守作業等を行うことができ保守作業等の能率を向上する効果がある。
【００４３】
また、この発明は以上説明したように引き戸の全閉時において、出入口の縁部を構成した三方枠と対向した引き戸の重合部に配置されて、引き戸の水平投影面における隅部が切欠されてなる凹所によって形成された掛合子を設けたものである。
【００４４】
これによって、エレベーターの保守作業時等に鎖錠された引き戸を作業員が人為操作によって手動戸開するときに、三方枠と全閉した引き戸の隙間に手動解錠梃棒が挿入されて、手動解錠梃棒の一端側の先端部が解錠機構の回動腕に掛合される。この状態で、手動解錠梃棒を上方へ持ち上げて回動腕を回動して、手動解錠梃棒を掛合子に嵌合する。このため、解錠機構の回動腕を上昇位置に容易に保持することができる。そして、鉤片を解錠姿勢に変位させた状態で引き戸を手動戸開することができ、簡易な操作によって引き戸を手動戸開することができる。したがって、少ない労力によってエレベーターの保守作業を行うことができ保守作業能率を向上する効果がある。また、掛合子が引き戸に設けられた凹所によって形成されるので、三方枠と全閉した引き戸の隙間が十分確保され、手動解錠梃棒の挿入が容易にでき鉤片の解錠操作の能率を向上する効果がある。
【図面の簡単な説明】
【図１】この発明の実施の形態１を示す図で、後述する図９相当図。
【図２】図１の正面図。
【図３】この発明の実施の形態２を示す図で、後述する図９相当図。
【図４】図３の正面図。
【図５】この発明の実施の形態３を示す図で、後述する図９相当図。
【図６】図５の正面図。
【図７】従来のエレベーター乗場戸の手動解錠装置を示す図で、エレベーター乗場の正面図。
【図８】図７の背面図。
【図９】図８のＡ−Ａ線断面拡大図。
【図１０】図９の正面図。
【符号の説明】
２　乗場、　　３　出入口、　　６　引き戸、　　１１　鉤片、　　１３　固定部、　　１６　解錠機構、　　１９　回動腕、　　２０　阻止部、　　２１　付勢体、　　２２　伝動体、　　２４　掛合子、　　２５　手動解錠梃棒、　　２６　掛合子、　　２８　突部、　　２９　掛合子。
【図１】
2004075313.tif 000003
【図２】
2004075313.tif 000004
【図３】
2004075313.tif 000005
【図４】
2004075313.tif 000006
【図５】
2004075313.tif 000007
【図６】
2004075313.tif 000008
【図７】
2004075313.tif 000009
【図８】
2004075313.tif 000010
【図９】
2004075313.tif 000011
【図１０】
2004075313.tif 000012